(57)【要約】【課題】伸縮量の大きな道路橋にふさわしく、耐荷力と止水性能に優れた荷重支持型伸縮装置を提供する。【解決手段】遊間（Ｓ）に沿って延在する平行な一対の起立フェイスプレート（Ｐａ）（Ｐｂ）と、そのフェイスプレートと一定角度（θ）だけ交叉する多数の平行な連立フィンガープレート（Ｆａ）（Ｆｂ）とを、そのフィンガープレートの前プレート片（７ａ）（７ｂ）同士が遊間（Ｓ）上での一定量（Ｘ）だけ交互に噛み合うオーバーラップ状態となるように組み付け一体化した伸縮装置において、両フェイスプレートの向かい合う相互間（継手遊間）を上記前プレート片へ下方から接する水平状態に敷設した離型シート（１６）によって仕切り、これよりも上段の空間には発泡材層（１７）の充填とその表面に対する耐火材層（１８）の被着とを行う一方、上記離型シートよりも下段の空間には弾性止水層（１９）の充填とこれを下方から覆う２次止水用弾性シート（２１）の吊り下げとを行った。【選択図】図３
2015078505.tif 000002
【特許請求の範囲】
【請求項１】
道路橋の遊間（Ｓ）を挟んで向かい合う関係状態として、その遊間（Ｓ）に沿い延在する前後一対の平行な起立フェイスプレート（Ｐａ）（Ｐｂ）と、
その各起立フェイスプレート（Ｐａ）（Ｐｂ）へ一定角度（θ）だけ交叉する貫通状態として組み付け一体化されることにより、二輪車のタイヤが嵌まり込まない左右相互間隔（ｗ）を保って橋軸方向に沿い延在する多数の平行な連立フィンガープレート（Ｆａ）（Ｆｂ）とから成り、
両起立フェイスプレート（Ｐａ）（Ｐｂ）から互いに接近し合う遊間（Ｓ）側へ各々張り出す連立フィンガープレート（Ｆａ）（Ｆｂ）の前プレート片（７ａ）（７ｂ）同士を、その遊間（Ｓ）上での一定量（Ｘ）だけ交互に噛み合う櫛形態としてオーバーラップさせる一方、
同じく両起立フェイスプレート（Ｐａ）（Ｐｂ）から互いに遠ざかる反対側へ各々張り出す連立フィンガープレート（Ｆａ）（Ｆｂ）の後プレート片（９ａ）（９ｂ）（１０ａ）（１０ｂ）を埋込みアンカーとして、コンクリート床版（１）の箱抜き凹所（Ｇ）へ後打ちコンクリート（Ｃ）により埋設一体化する道路橋の荷重支持型伸縮装置において、
両起立フェイスプレート（Ｐａ）（Ｐｂ）の下端部を弾性止水層用の接着壁面（２ａ）（２ｂ）として、上記連立フィンガープレート（Ｆａ）（Ｆｂ）よりも一定の背丈分（ｈ）だけ張り出し垂下させると共に、
少なくとも下面が離型処理された離型シート（１６）を、両起立フェイスプレート（Ｐａ）（Ｐｂ）の向かい合う前後相互間へ下方から上記連立フィンガープレート（Ｆａ）（Ｆｂ）の前プレート片（７ａ）（７ｂ）と接触する水平状態に敷設して、
その離型シート（１６）により仕切られた上段空間には発泡材層（１７）の充填と、その発泡材層（１７）の表面を被覆する耐火材層（１８）の固着とを行う一方、
同じく離型シート（１６）により仕切られた下段空間には常温加硫型液状ゴムなどのシール材から成る弾性止水層（１９）を、その前後両端部だけが両起立フェイスプレート（Ｐａ）（Ｐｂ）の上記接着壁面（２ａ）（２ｂ）へ接着固定される状態に充填し、
２次止水用となる弾性シート（２１）の前後両端部を両起立フェイスプレート（Ｐａ）（Ｐｂ）の下端部へ、外方から向かい合う前後一対のアングルプレート（２２ａ）（２２ｂ）により押え付け固定して、上記弾性止水層（１９）の下方を覆う状態に吊り下げたことを特徴とする道路橋の荷重支持型伸縮装置。
【請求項２】
両起立フェイスプレート（Ｐａ）（Ｐｂ）の接着壁面（２ａ）（２ｂ）をプライマー（２０）の塗布により下地処理したことを特徴とする請求項１記載の道路橋の荷重支持型伸縮装置。
【請求項３】
弾性止水層（１９）の前後両端部をアングルプレート（２２ａ）（２２ｂ）の水平片によって下方から受け持つと共に、そのアングルプレート（２２ａ）（２２ｂ）の垂直片から各起立フェイスプレート（Ｐａ）（Ｐｂ）の下端部へ、点在分布する複数のリベット（２４ａ）（２４ｂ）をほぼ水平に打ち込み固定したことを特徴とする請求項１記載の道路橋の荷重支持型伸縮装置。
【請求項４】
弾性シート（２１）を織布入りのゴムシートとして、その内部へ合成樹脂製メッシュパイプの半割り体から成る保形樋（２３）を載置セットすることにより、断面ほぼＵ字形に保形したことを特徴とする請求項１記載の道路橋の荷重支持型伸縮装置。
【請求項５】
連立フィンガープレート（Ｆａ）（Ｆｂ）を、その起立フェイスプレート（Ｐａ）（Ｐｂ）と交叉する差し込み凹溝（５ａ）（５ｂ）が下向き開口状態に切り欠かれた第１連立フィンガープレート（Ｆａ−１）（Ｆｂ−１）と、同じく起立フェイスプレート（Ｐａ）（Ｐｂ）と交叉する差し込み凹溝（６ａ）（６ｂ）が上向き開口状態に切り欠かれた第２連立フィンガープレート（Ｆａ−２）（Ｆｂ−２）との２種として、
その第１連立フィンガープレート（Ｆａ−１）（Ｆｂ−１）の差し込み凹溝（５ａ）（５ｂ）と咬み合う上向き開口状態の受け入れ凹欠（３ａ）（３ｂ）と、第２連立フィンガープレート（Ｆａ−２）（Ｆｂ−２）の差し込み凹溝（６ａ）（６ｂ）と咬み合う下向き開口状態の受け入れ凹欠（４ａ）（４ｂ）とを、上記起立フェイスプレート（Ｐａ）（Ｐｂ）へ一定な左右相互間隔（ｗ）おきでの交互に付与して、
その起立フェイスプレート（Ｐａ）（Ｐｂ）の上向き開口分布する受け入れ凹欠（３ａ（３ｂ）には、上記第１連立フィンガープレート（Ｆａ−１）（Ｆｂ−１）の差し込み凹溝（５ａ）（５ｂ）を上方から咬み合う状態に差し込み固定する一方、
同じく起立フェイスプレート（Ｐａ）（Ｐｂ）の下向き開口分布する受け入れ凹欠（４ａ）（４ｂ）には、上記第２連立フィンガープレート（Ｆａ−２）（Ｆｂ−２）の差し込み凹溝（６ａ）（６ｂ）を下方から咬み合う状態に差し込み固定したことを特徴とする請求項１記載の道路橋の荷重支持型伸縮装置。
【請求項６】
第１、２連立フィンガープレート（Ｆａ−１）（Ｆｂ−１）（Ｆａ−２）（Ｆｂ−２）における何れか一方の後プレート片（９ａ）（９ｂ）を、上方から浅い倒立へ字形切欠き（１２ａ）（１２ｂ）が加工された比較的高い背丈（ｈ１）として、その背丈（ｈ１）の中間部に水平な組立鉄筋（１１ａ）（１１ｂ）の細長い受け入れ口（１３ａ）（１３ｂ）を貫通形成すると共に、
同じく第１、２連立フィンガープレート（Ｆａ−１）（Ｆｂ−１）（Ｆａ−２）（Ｆｂ−２）における他方の後プレート片（１０ａ）（１０ｂ）を、上方から深いＬ字形切欠き（１４ａ）（１４ｂ）が加工された比較的低い背丈（ｈ２）の細長い角棒状に造形したことを特徴とする請求項５記載の道路橋の荷重支持型伸縮装置。
【請求項７】
請求項１に記載された伸縮装置の製造法であって、各起立フェイスプレート（Ｐａ）（Ｐｂ）と必要な個数の連立フィンガープレート（Ｆａ）（Ｆｂ）とを一定角度（θ）だけ交叉する貫通状態に組み付け一体化すると共に、
その組み付けユニット体の前後一対を上記連立フィンガープレート（Ｆａ）（Ｆｂ）における前プレート片（７ａ）（７ｂ）同士の一定量（Ｘ）だけ交互に噛み合うオーバーラップ状態に保つため、その左右両端部同士の連結プレート（３０）によって仮り止め固定した上、
その仮り止め固定状態にある全体を先ず上下反転させた裏返し状態として、上記噛み合っている前プレート片（７ａ）（７ｂ）の全体へ上方から離型シート（１６）を、その離型処理された下面が上向く状態に敷設して、
引き続き上方から常温加硫型の液状ゴムなどから成る１次止水用シール材を充填することにより、その前後両端部が両起立フェイスプレート（Ｐａ）（Ｐｂ）の接着壁面（２ａ）（２ｂ）へ接着固定した弾性止水層（１９）を形成し、
その後、上記弾性止水層（１９）を同じく上方から２次止水用弾性シート（２１）によって覆うため、その弾性シート（２１）の前後両端部を両起立フェイスプレート（Ｐａ）（Ｐｂ）へ外方から前後一対のアングルプレート（２２ａ）（２２ｂ）によって押え付け固定し、
次いで、上記弾性シート（２１）が吊り下がることとなる表返し状態に復元した上、両起立フェイスプレート（Ｐａ）（Ｐｂ）の向かい合う前後相互間へ上方から発泡材料を充填して、その発泡材層（１７）として硬化する前に、上方から耐火材を散布することにより、その耐火材層（１８）が表面に被着一体化された発泡材層（１７）を形成し、
最後に、先の全体的な仮り止め状態に保っていた連結プレート（３０）を取り除くことを特徴とする道路橋における荷重支持型伸縮装置の製造法。
【発明の詳細な説明】
【技術分野】
【０００１】
本発明は伸縮量の大きな道路橋にふさわしい荷重支持型伸縮装置と、そのための有効な製造法に関する。
【背景技術】
【０００２】
遊間（継ぎ目）の伸縮量が約１５０mm以上の長大な道路橋にふさわしい「フィンガージョイント」と称する荷重支持型伸縮装置については、下記特許文献１に開示されている。
【０００３】
そして、この特許文献１に記載のジョイント部材（Ｊ１）（Ｊ２）では、その板状フィンガー（４）（５）のフィンガー前部（４ａ）（５ａ）同士が継ぎ目遊間（Ｘ）上での櫛形態として交互に噛み合いオーバーラップされており、そのフィンガー前部（４ａ）（５ａ）の側面とウエブ板（２）（３）とから囲まれた噛み合い空隙部に、ゴム状物質（７）が充塞されている点、又そのウエブ板（２）（３）同士の受け板（２ａ）（３ａ）から継ぎ目遊間（Ｘ）へ吊り下がる断面Ｕ字形の止水用シール部材（２１）を具備している点で、本発明に最も近似する公知技術であると考えられる。
【先行技術文献】
【特許文献】
【０００４】
【特許文献１】特許第４９３６１４５号公報
【特許文献２】特許第４２１８０２８号公報
【発明の概要】
【発明が解決しようとする課題】
【０００５】
ところが、上記特許文献１に開示の構成ではフィンガー前部（４ａ）（５ａ）の側面とウエブ板（２）（３）とから囲まれた噛み合い空隙部に、常温加硫型の液状ゴムから成るゴム状物質（７）が充塞されており、その液状で充填後、常温で加硫硬化して、止水層を形成するようになっているため、そのフィンガー前部（４ａ）（５ａ）の側面へ加硫接着した状態にある止水層が、継ぎ目遊間（Ｘ）の伸縮に応じて相反する前後方向（橋軸方向）へ移動するフィンガー前部（４ａ）（５ａ）に追従できず、その接着界面から容易に剥離してしまうこととなり、脱落しないまでも、止水性能が早期に低下することは必至である。
【０００６】
その場合、上記止水層の接着性を向上させるために、その下地処理材のプライマーを上記フィンガー前部（４ａ）（５ａ）の側面やウエブ板（２）（３）などに塗布しようとしても、その交互する噛み合い状態に組み付けられているため、そのプライマーの塗布作業を行うことができず、それだからと言って、組み付ける前に、上記フィンガー前部（４ａ）（５ａ）の側面やウエブ板（２）（３）などにプライマーを塗布しておくと、そのプライマーが組み付け時における溶接の火炎を受けて、爾後的に消失してしまうのである。
【０００７】
又、上記ゴム状物質（７）の止水層はその表面（上面）の露出状態にあり、耐火性を有さないため、通行車両から投げ捨てられる点火状態のシガレットなどが侵入・堆積して、不慮に燃え上がる致命的な危険性がある。
【０００８】
更に、上記ウエブ板（２）（３）の受け板（２ａ）（３ａ）から継ぎ目遊間（Ｘ）へ吊り下がる止水用シール部材（２１）のＵ字状内部には、ウレタンフォームやスタイロフォームなどの発泡樹脂からなる弾性体が充填されているが、これはゴムシートから成るシール部材（２１）との接着性を有さないため、止水効果を達成することができない。
【０００９】
その結果、上記特許文献１に開示の伸縮装置が排水性のそれではないこととも相俟って、早期に止水性能の低下した上記ゴム状物質（７）から落下する漏水が、その真下位置の発泡樹脂から成る弾性体とこれを受け持っているシール部材（ゴムシート）（２１）の内部に溜まり込み、これを路肩部へ円滑に誘導・排水することができず、その重量によって継ぎ目遊間（Ｘ）へ脱落するおそれもある。
【００１０】
他方、伸縮装置の製造法としても、止水用シール部材（ゴムシート）（２１）のＵ字状内部へ上方から発泡樹脂の弾性体を充填した後でなければ、同じく上方から上記噛み合い空隙部へ止水層を形成するためのゴム状物質（７）を充塞することができない。
【００１１】
そのシール部材（ゴムシート）（２１）の上段位置には、交互に噛み合いオーバーラップする櫛形態のフィンガー前部（４ａ）（５ａ）が存在しているため、上記シール部材（２１）の内部全体を上方から明確に透視することは困難であり、その結果上記発泡樹脂から成る弾性体を隅々まで洩れなく、容易・確実に充填することができない。
【００１２】
更に言えば、そのシール部材（ゴムシート）（２１）のＵ字状内部へ上記発泡樹脂の弾性体を充填した後、その上方から引き続きゴム状物質（７）としての好適な常温加硫型液状ゴムを、その液状態において充填した場合、これが上記発泡樹脂から成る弾性体の気泡に浸透するため、その加硫硬化によって得られるゴム状物質（７）の止水層と、上記発泡樹脂から成る弾性体とが上下の連続一体に固まる結果となり、継ぎ目遊間（Ｘ）の伸縮に応じた滑らかな追従変形作用や長期に亘る安定な止水効果を得られない問題もある。
【課題を解決するための手段】
【００１３】
本発明はこのような諸問題の改良を目的としており、その目的を達成するために、請求項１では道路橋の遊間を挟んで向かい合う関係状態として、その遊間に沿い延在する前後一対の平行な起立フェイスプレートと、
【００１４】
その各起立フェイスプレートへ一定角度だけ交叉する貫通状態として組み付け一体化されることにより、二輪車のタイヤが嵌まり込まない左右相互間隔を保って橋軸方向に沿い延在する多数の平行な連立フィンガープレートとから成り、
【００１５】
両起立フェイスプレートから互いに接近し合う遊間側へ各々張り出す連立フィンガープレートの前プレート片同士を、その遊間上での一定量だけ交互に噛み合う櫛形態としてオーバーラップさせる一方、
【００１６】
同じく両起立フェイスプレートから互いに遠ざかる反対側へ各々張り出す連立フィンガープレートの後プレート片を埋込みアンカーとして、コンクリート床版の箱抜き凹所へ後打ちコンクリートにより埋設一体化する道路橋の荷重支持型伸縮装置において、
【００１７】
両起立フェイスプレートの下端部を弾性止水層用の接着壁面として、上記連立フィンガープレートよりも一定の背丈分だけ張り出し垂下させると共に、
【００１８】
少なくとも下面が離型処理された離型シートを、両起立フェイスプレートの向かい合う前後相互間へ下方から上記連立フィンガープレートの前プレート片と接触する水平状態に敷設して、
【００１９】
その離型シートにより仕切られた上段空間には発泡材層の充填と、その発泡材層の表面を被覆する耐火材層の固着とを行う一方、
【００２０】
同じく離型シートにより仕切られた下段空間には常温加硫型の液状ゴムから成る弾性止水層を、その前後両端部だけが両起立フェイスプレートの接着壁面へ接着固定される状態に充填し、
【００２１】
２次止水用となる弾性シートの前後両端部を両起立フェイスプレートの下端部へ、外方から向かい合う前後一対のアングルプレートにより押え付け固定して、上記弾性止水層の下方を覆う状態に吊り下げたことを特徴とする。
【００２２】
又、請求項２では両起立フェイスプレートの接着壁面をプライマーの塗布により下地処理したことを特徴とする。
【００２３】
請求項３では弾性止水層の前後両端部をアングルプレートの水平片によって下方から受け持つと共に、そのアングルプレートの垂直片から各起立フェイスプレートの下端部へ、点在分布する複数のリベットをほぼ水平に打ち込み固定したことを特徴とする。
【００２４】
請求項４では弾性シートを織布入りのゴムシートとして、その内部へ合成樹脂製メッシュパイプの半割り体から成る保形樋を載置セットすることにより、断面ほぼＵ字形に保形したことを特徴とする。
【００２５】
請求項５では連立フィンガープレートを、その起立フェイスプレートと交叉する差し込み凹溝が下向き開口状態に切り欠かれた第１連立フィンガープレートと、同じく起立フェイスプレートと交叉する差し込み凹溝が上向き開口状態に切り欠かれた第２連立フィンガープレートとの２種として、
【００２６】
その第１連立フィンガープレートの差し込み凹溝と咬み合う上向き開口状態の受け入れ凹欠と、第２連立フィンガープレートの差し込み凹溝と咬み合う下向き開口状態の受け入れ凹欠とを、上記起立フェイスプレートへ一定な左右相互間隔おきでの交互に付与して、
【００２７】
その起立フェイスプレートの上向き開口分布する受け入れ凹欠には、上記第１連立フィンガープレートの差し込み凹溝を上方から咬み合う状態に差し込み固定する一方、
【００２８】
同じく起立フェイスプレートの下向き開口分布する受け入れ凹欠には、上記第２連立フィンガープレートの差し込み凹溝を下方から咬み合う状態に差し込み固定したことを特徴とする。
【００２９】
更に、請求項６では第１、２連立フィンガープレートにおける何れか一方の後プレート片を、上方から浅い倒立へ字形切欠きが加工された比較的高い背丈として、その背丈の中間部に水平な組立鉄筋の細長い受け入れ口を貫通形成すると共に、
【００３０】
同じく第１、２連立フィンガープレートにおける他方の後プレート片を、上方から深いＬ字形切欠きが加工された比較的低い背丈の細長い角棒状に造形したことを特徴とする。
【００３１】
他方、請求項７では請求項１に記載された伸縮装置の製造法であって、各起立フェイスプレートと必要な個数の連立フィンガープレートとを一定角度だけ交叉する貫通状態に組み付け一体化すると共に、
【００３２】
その組み付けユニット体の前後一対を上記連立フィンガープレートにおける前プレート片同士の一定量だけ交互に噛み合うオーバーラップ状態に保つため、その左右両端部同士の連結プレートによって仮り止め固定した上、
【００３３】
その仮り止め固定状態にある全体を先ず上下反転させた裏返し状態として、上記噛み合っている前プレート片の全体へ上方から離型シートを、その離型処理された下面が上向く状態に敷設して、
【００３４】
引き続き上方から常温加硫型の液状ゴムから成る１次止水用シール材を充填することにより、その前後両端部が両起立フェイスプレートの接着壁面へ接着固定した弾性止水層を形成し、
【００３５】
その後、上記弾性止水層を同じく上方から２次止水用弾性シートによって覆うため、その弾性シートの前後両端部を両起立フェイスプレートへ外方から前後一対のアングルプレートによって押え付け固定し、
【００３６】
次いで、上記弾性シートが吊り下がることとなる表返し状態に復元した上、両起立フェイスプレートの向かい合う前後相互間へ上方から発泡材料を充填して、その発泡材層として硬化する前に、上方から耐火材を散布することにより、その耐火材層が表面に被着一体化された発泡材層を形成し、
【００３７】
最後に、先の全体的な仮り止め状態に保っていた連結プレートを取り除くことを特徴とする。
【発明の効果】
【００３８】
請求項１の上記構成によれば、両起立フェイスプレートの向かい合う前後相互間（継手遊間）が離型シートを介して、比較的広大な上段空間と狭小な下段空間に仕切られた状態にあり、その上段空間に充填された発泡材層は発泡材料の膨張・硬化したものとして、連立フィンガープレートの櫛形態に噛み合いオーバーラップしている前プレート片と接着固定されていないため、その前プレート片同士が相反する前後方向（橋軸方向）へ移動（伸縮）するも、これに追従変形して、その発泡材層の破壊されてしまうおそれがなく、通行車両から落下する土砂やタイヤの摩耗片、その他の各種固形物を確実に捕捉することができ、しかもその発泡材層の表面に被着一体化された耐火材層により、その発泡材層が点火状態にあるシガレットの投げ捨てを受けて、不慮に燃えるおそれも防止し得る効果がある。
【００３９】
又、上記離型シートにより仕切られた下段空間には、常温加硫型液状ゴムなどの１次止水用シール材から成る弾性止水層が充填されており、その弾性止水層は上記離型シートの離型処理された下面と接触して、上記前プレート片同士が相反する前後方向（橋軸方向）へ移動（伸縮）するも、その動きに追従変形せず、しかもその弾性止水層の前後両端部だけが両起立フェイスプレートの下端部をなす接着壁面と接着固定された設置状態にあるため、長期に及ぶ安定な止水作用を果すことができ、その弾性止水層の破壊されたり、まして脱落したりするおそれはない。
【００４０】
更に、経年使用によって万一弾性止水層から漏水が落下したとしても、これを２次止水用の弾性シートにより受け止めて、道路の横断勾配に沿い最低の路肩部へ誘導・排水することができ、腐蝕防止にも役立つのである。
【００４１】
その場合、請求項２の構成を採用するならば、両起立フェイスプレートの接着壁面に対する弾性止水層の接着性が向上し、その恒久的な止水効果を得られることになる。
【００４２】
請求項３の構成を採用するならば、前後一対のアングルプレートを両起立フェイスプレートの下端部へ、外方から水平に打ち込むリベットによって、２次止水用弾性シートの吊り下げ状態に押え付け固定することができ、その作業をボルトとナットとから成るネジ締結具に比し、極めて容易にすばやく行える効果があり、作業性に著しく優れる。
【００４３】
請求項４の構成を採用するならば、その弾性シートが引き裂けたり、保管中不正な癖付け状態に変形したりすることを防止することができ、その断面ほぼＵ字形に保形された内底面に沿って、漏水を円滑に誘導・排出し得るのである。
【００４４】
更に、請求項５の構成を採用するならば、両起立フェイスプレートと多数の連立フィンガープレートとを、歪み変形しない安定・強固な組み付け状態に仕上げることができ、伸縮量の大きな道路橋にふさわしい荷重支持型伸縮装置を得られる。
【００４５】
その場合、請求項６の構成を採用するならば、コンクリート床版の箱抜き凹所がその床版への埋込みアンカーとなる連立フィンガープレートの後プレート片によって、いたずらに細かく（狭く）仕切り区分されてしまうおそれがなく、その後打ちコンクリートの全体に及ぶ良好な流動性により、上記組付強度や耐荷力をますます向上させることができる。
【００４６】
他方、請求項７の製造法によれば、両起立フェイスプレートと多数の連立フィンガープレートとから組み付け一体化された仮り止め固定状態の全体を、上下反転させた裏返し状態（倒立状態）において、その上方から離型シートの敷設と弾性止水層の充填並びに弾性シートの押え付け固定を順序良く能率的に行えるほか、引き続き表返し状態（正立状態）に復元して、やはり上方から発泡材層の充填とその表面に対する耐火材層の被着も順序良く能率的に行えるのであり、工場での生産性に著しく優れる。
【図面の簡単な説明】
【００４７】
【図１】本発明に係る荷重支持型伸縮装置の平面図である。
【図２】図１の側面図である。
【図３】図１の３−３線断面図である。
【図４】図１の４−４線断面図である。
【図５】２次止水用弾性シートの保形樋となるメッシュパイプを示す側面図である。
【図６】図５の６−６線断面図である。
【図７】図６から半割りした上記保形樋を示す断面図である。
【図８】図４の８−８線に沿う拡大断面図である。
【図９】図８の９−９線断面図である。
【図１０】上記弾性シートの止水壁を抽出して示す正面図である。
【図１１】図１０の１１−１１線断面図である。
【図１２】起立フェイスプレートと連立フィンガープレートとの咬み合い位置関係を示す分解斜面図である。
【図１３】図１２の組み付け状態を示す平面図である。
【図１４】図１３の底面図である。
【図１５】図１３の１５−１５線断面図である。
【図１６】図１３の１６−１６線断面図である。
【図１７】図１３に示した組み付けユニット体の前後一対を、仮り止め固定した状態の平面図である。
【図１８】図１７の１８−１８線断面図である。
【図１９】図１８から裏返した倒立状態において、プライマー処理する製造工程の断面図である。
【図２０】図１９から引き続き離型シートの敷設と弾性止水層の充填とを行う製造工程の断面図である。
【図２１】図２０から引き続き２次止水用弾性シートを取り付け固定する製造工程の断面図である。
【図２２】図２１から表返し復元した正立状態において、発泡材層を充填する製造工程の断面図である。
【図２３】図２２から引き続き耐火材層を被着一体化させる製造工程の断面図である。
【図２４】本発明に係る伸縮装置の施工状態を示す平面図である。
【図２５】図２４の２５−２５線断面図である。
【図２６】本発明に係る伸縮装置の変形実施形態を示す図１に対応する平面図である。
【発明を実施するための形態】
【００４８】
以下、図面に基いて本発明の好適な実施形態を詳述すると、図１〜２３は荷重支持型の伸縮装置（フィンガージョイント）を示しており、又図２４、２５はその道路橋におけるコンクリート床版（橋桁）（１）同士の遊間（継ぎ目）（Ｓ）に跨がる施工状態を示しているが、コンクリート床版（橋桁）（１）と橋台（図示省略）との相互間に介在する遊間（Ｓ）へ、同様に跨がる状態として施工されることもある。
【００４９】
（Ｐａ）（Ｐｂ）は道路橋の遊間（床版遊間）（Ｓ）を挟んで向かい合う関係状態として、その遊間（Ｓ）に沿い施工現場の橋幅分（片車線の全体分）（例えば約７．２ｍ）だけ延在する前後一対の平行な起立フェイスプレートであり、例えば約１６mmの厚みと約１８５mmの背丈を備えた鋼板から成る。その各起立フェイスプレート（Ｐａ）（Ｐｂ）の下端部を占める一定の背丈分（例えば約３５mm）（ｈ）は、後述する弾性止水層の接着壁面（２ａ）（２ｂ）として機能し得るようになっている。
【００５０】
又、（Ｆａ）（Ｆｂ）は各起立フェイスプレート（Ｐａ）（Ｐｂ）へ一定角度（θ）（例えば約９０度）だけ交叉する貫通状態として組み付け一体化されることにより、二輪車のタイヤが嵌まり込まない（脱輪しない）一定の左右相互間隔（ｗ）（例えば約５０mm）を保って、橋軸方向（前後方向）に沿い延在する多数（図例では１１本）の平行な連立フィンガープレートであり、例えば約２２〜３２mmの厚みと約５３６mmの長さ並びに最大部分における約１５０mmの背丈を備えた高剛性の鋼板から成る。
【００５１】
即ち、各起立フェイスプレート（Ｐａ）（Ｐｂ）には図１２〜１６のような比較的浅い上向き開口状態の第１連立フィンガープレート受け入れ凹欠（３ａ）（３ｂ）と、比較的深い下向き開口状態の第２連立フィンガープレート受け入れ凹欠（４ａ）（４ｂ）との２種が、上記した一定な左右相互間隔（ｗ）（先に例示した約５０mm）おきでの交互に付与されている。図例の場合、その比較的浅い第１連立フィンガープレート受け入れ凹欠（３ａ）（３ｂ）の深さ（ｄ１）は約７５mmであり、比較的深い第２連立フィンガープレート受け入れ凹欠（４ａ）（４ｂ）の深さ（ｄ２）は約１１０mmである。
【００５２】
そして、多数の連立フィンガープレート（Ｆａ）（Ｆｂ）は上記起立フェイスプレート（Ｐａ）（Ｐｂ）と交叉する下向き開口状態の差し込み凹溝（５ａ）（５ｂ）を備えた第１連立フィンガープレート（Ｆａ−１）（Ｆｂ−１）と、同じく起立フェイスプレート（Ｐａ）（Ｐｂ）と交叉する上向き開口状態の差し込み凹溝（６ａ）（６ｂ）を備えた第２連立フィンガープレート（Ｆａ−２）（Ｆｂ−２）との２種として、その第１連立フィンガープレート（Ｆａ−１）（Ｆｂ−１）の差し込み凹溝（５ａ）（５ｂ）が上記起立フェイスプレート（Ｐａ）（Ｐｂ）の第１連立フィンガープレート受け入れ凹欠（３ａ）（３ｂ）へ、上方から咬み合う状態に差し込み固定される一方、第２連立フィンガープレート（Ｆａ−２）（Ｆｂ−２）の差し込み凹溝（６ａ）（６ｂ）が、同じく起立フェイスプレート（Ｐａ）（Ｐｂ）の第２連立フィンガープレート受け入れ凹欠（４ａ）（４ｂ）へ、逆な下方から咬み合う状態に差し込み固定されるようになっている。
【００５３】
その固定手段は各起立フェイスプレート（Ｐａ）（Ｐｂ）と各連立フィンガープレート（Ｆａ−１）（Ｆｂ−１）（Ｆａ−２）（Ｆｂ−２）との咬み合い部分に施す溶接である。
【００５４】
上記第１、２連立フィンガープレート（Ｆａ−１）（Ｆｂ−１）（Ｆａ−２）（Ｆｂ−２）における差し込み凹溝（５ａ）（５ｂ）（６ａ）（６ｂ）の切り欠き深さ（ｄ）は互いに同一であり、図例の場合約７５mmとして、その第１、２連立フィンガープレート（Ｆａ−１）（Ｆｂ−１）（Ｆａ−２）（Ｆｂ−２）が咬み合う状態に差し込み固定された起立フェイスプレート（Ｐａ）（Ｐｂ）から、その下端部の接着壁面（２ａ）（２ｂ）が先に例示した約３５mmの背丈分（ｈ）だけ図１５、１６のように、第１、２連立フィンガープレート（Ｆａ−１）（Ｆｂ−１）（Ｆａ−２）（Ｆｂ−２）よりも張り出し垂下するようになっている。
【００５５】
多数の連立フィンガープレート（Ｆａ−１）（Ｆｂ−１）（Ｆａ−２）（Ｆｂ−２）と両起立フェイスプレート（Ｐａ）（Ｐｂ）とが組み付け一体化された状態では、その起立フェイスプレート（Ｐａ）（Ｐｂ）から互いに接近し合う遊間（Ｓ）側へ各々張り出す連立フィンガープレート（Ｆａ−１）（Ｆｂ−１）（Ｆａ−２）（Ｆｂ−２）の前プレート片（７ａ）（７ｂ）同士が、その遊間（Ｓ）上での一定量（Ｘ）（例えば約１４５mm）だけ図１〜４のような交互に噛み合う櫛形態としてオーバーラップしている。
【００５６】
（８ａ）（８ｂ）は前プレート片（７ａ）（７ｂ）における張り出し先端部（前端部）の下端縁に加工された前上がり傾斜逃し面であり、その使用中に振動する前プレート片（７ａ）（７ｂ）の張り出し先端部（前端部）が、後述の離型シートと延いては弾性止水層を引っ掛けて、これらの破損してしまうおそれを予防する。
【００５７】
他方、両起立フェイスプレート（Ｐａ）（Ｐｂ）から互いに遠ざかる（離反する）反対側（背後側）へ各々張り出す連立フィンガープレート（Ｆａ−１）（Ｆｂ−１）（Ｆａ−２）（Ｆｂ−２）の後プレート片（９ａ）（９ｂ）（１０ａ）（１０ｂ）は埋込みアンカーとして、図２４、２５のようにコンクリート床版（１）の箱抜き凹所（Ｇ）へ、後打ちコンクリート（Ｃ）により埋設一体化され、水平な組立鉄筋（１１ａ）（１１ｂ）と交叉する関係状態に保たれることになるが、そのコンクリート床版（１）への埋込みアンカーとなる上記後プレート片（９ａ）（９ｂ）（１０ａ）（１０ｂ）は図１２や図１５、１６から明白なように、上記第１、２連立フィンガープレート（Ｆａ−１）（Ｆｂ−１）（Ｆａ−２）（Ｆｂ−２）での互いに異なる形態に加工されている。
【００５８】
この点、図示の実施形態では上記起立フェイスプレート（Ｐａ）（Ｐｂ）へ上方から差し込み固定される第１連立フィンガープレート（Ｆａ−１）（Ｆｂ−１）の後プレート片（９ａ）（９ｂ）は、上方から最大背丈（先に例示した約１５０mm）の約３分の１に相当する浅いほぼ倒立ヘ字形切欠き（１２ａ）（１２ｂ）の加工を受けて、残る約３分の２に相当する比較的高い背丈（ｈ１）を有し、しかもその背丈（ｈ１）のほぼ中間部を橋軸方向（前後方向）に沿って延在する細長い組立鉄筋受け入れ口（１３ａ）（１３ｂ）が貫通形成されている。
【００５９】
これに比して、上記起立フェイスプレート（Ｐａ）（Ｐｂ）へ下方から差し込み固定される第２連立フィンガープレート（Ｆａ−２）（Ｆｂ−２）の後プレート片（１０ａ）（１０ｂ）は、上方から最大背丈（先に例示した約１５０mm）の約３分の２に相当する深いほぼＬ字形切欠き（１４ａ）（１４ｂ）の加工を受けることにより、約３分の１だけ残る低い背丈（ｈ２）の細長い角棒状に造形されている。
【００６０】
このような第１、２連立フィンガープレート（Ｆａ−１）（Ｆｂ−１）（Ｆａ−２）（Ｆｂ−２）での互いに異なる大きさ・形態を備えた後プレート片（９ａ）（９ｂ）（１０ａ）（１０ｂ）が、起立フェイスプレート（Ｐａ）（Ｐｂ）から背後方向へ交互に張り出し、特にその第２連立フィンガープレート（Ｆａ−２）（Ｆｂ−２）の後プレート片（１０ａ）（１０ｂ）は背丈（ｈ２）の低く細長い角棒形態をなすため、コンクリート床版（１）の箱抜き凹所（Ｇ）をその後プレート片（９ａ）（９ｂ）（１０ａ）（１０ｂ）によって、言わば細かく（狭く）仕切り区分してしまうおそれがない。
【００６１】
その結果、後打ちコンクリート（Ｃ）の流動性を制限することがなく、連立フィンガープレート（Ｆａ−１）（Ｆｂ−１）（Ｆａ−２）（Ｆｂ−２）が起立フェイスプレート（Ｐａ）（Ｐｂ）の下端部を回動支点として前下がりに撓もうとする曲げモーメント（引き抜き力）に対し、効果的な抵抗力が発揮される後打ちコンクリート（Ｃ）の正常な締め固め状態を得られ、伸縮量の大きな道路橋にふさわしい伸縮装置としての耐荷強度が著しく向上する。
【００６２】
更に言えば、上記第２連立フィンガープレート（Ｆａ−２）（Ｆｂ−２）の後プレート片（１０ａ）（１０ｂ）は第１連立フィンガープレート（Ｆａ−１）（Ｆｂ−１）の後プレート片（９ａ）（９ｂ）と異なり、その第２連立フィンガープレート（Ｆａ−２）（Ｆｂ−２）の下端縁に沿って延在する細長い角棒形態をなすため、万一コンクリート床版（１）の埋設鉄筋（１５ａ）（１５ｂ）と干渉する場合でも、その埋設鉄筋（１５ａ）（１５ｂ）を必らずしも切断することなく、例えば曲げ加工することにより後プレート片（１０ａ）（１０ｂ）との組立状態に現場施工することができ、埋設鉄筋（１５ａ）（１５ｂ）のいたずらな切断やこれに代る差し筋アンカー（図示省略）の打ち込みなどに起因するコンクリート床版（１）の爾後的な強度低下を招くおそれがない。
【００６３】
尚、図示実施形態と逆の構成を採用して、上記組立鉄筋（１１ａ）（１１ｂ）の細長い受け入れ口（１３ａ）（１３ｂ）が開口する高い背丈（ｈ１）の後プレート片（９ａ）（９ｂ）を、第２連立フィンガープレート（Ｆａ−２）（Ｆｂ−２）のそれとして形成する一方、背丈（ｈ２）が低い角棒状の後プレート片（１０ａ）（１０ｂ）を、第１連立フィンガープレート（Ｆａ−１）（Ｆｂ−１）のそれとして形成してもさしつかえない。
【００６４】
（１６）は両起立フェイスプレート（Ｐａ）（Ｐｂ）の向かい合う前後相互間（継手遊間）へ図３、４のように、下方から連立フィンガープレート（Ｆａ−１）（Ｆｂ−１）（Ｆａ−２）（Ｆｂ−２）の前プレート片（７ａ）（７ｂ）と接触する水平状態に敷設された離型シート（所謂タック紙）であって、その少なくとも下面が離型面として表面処理されており、後述の弾性止水層と界面接着しないようになっている。
【００６５】
そして、両起立フェイスプレート（Ｐａ）（Ｐｂ）の向かい合う前後相互間（継手遊間）における上記離型シート（１６）によって仕切られた比較的広い上段空間には、伸縮可能な発泡材層（１７）が充填されており、その発泡材層（１７）によって使用中に通行車両から落下する土砂やタイヤの摩耗片、アスファルト舗装骨材の剥離片、その他の各種固形物を主として捕捉し得るようになっている。
【００６６】
その発泡材層（１７）の発泡材料としては、ポリオール（主剤）とイソシアネート（硬化剤）との二液を混合して、両起立フェイスプレート（Ｐａ）（Ｐｂ）の向かい合う前後相互間（継手遊間）へ上方から流し込めば、発泡、膨張作用し始め、やがて硬化することにより、硬質のウレタンフォームから成る発泡材層（１７）を形作るものが好ましい。
【００６７】
その場合、発泡材層（１７）は多数の気泡を内蔵していて、両起立フェイスプレート（Ｐａ）（Ｐｂ）や連立フィンガープレート（Ｆａ−１）（Ｆｂ−１）（Ｆａ−２）（Ｆｂ−２）における前プレート片（７ａ）（７ｂ）と界面接着された固定状態になく、道路橋の伸縮作用に追従して変形するため、早期に破壊されてしまうおそれがない反面、確実な止水作用を営むことは困難である。
【００６８】
（１８）は上記発泡材層（１７）の硬化するまでに、その表面へ上方から図３、４のような被覆状態に散布された適当な厚みの耐火材層であり、好ましくはスピネル結晶を主体とする硬質な人工骨材（商品名「セラクロン」）を耐火材として、発泡材層（１７）の硬化により固着一体化され、これによって上記発泡材層（１７）が点火状態にあるシガレットなどの投入を受けて、不慮に燃えるおそれを防止するようになっている。
【００６９】
他方、両起立フェイスプレート（Ｐａ）（Ｐｂ）の向かい合う前後相互間（継手遊間）における上記離型シート（１６）によって仕切られた比較的狭い下段空間には、発泡材層（１７）と異なる弾性止水層（１９）が充填されている。
【００７０】
その弾性止水層（１９）を形成する１次止水用シール材は常温加硫型の液状ゴムなどから成り、常温で加硫硬化することによって、上記した両起立フェイスプレート（Ｐａ）（Ｐｂ）の下端部をなす接着壁面（２ａ）（２ｂ）に加硫接着されることとなる。その接着固定される限りでは、例えば端末ＯＨ変成ポリブタジエン（ジオール）をイソシアネートプレポリマーで反応硬化させたウレタンゴムから成るシール材が好適である。
【００７１】
何れにしても、弾性止水層（１９）との接着性を向上させるための前処理（下地処理）として、その両起立フェイスプレート（Ｐａ）（Ｐｂ）の下端部をなす一定な背丈分（ｈ）の接着壁面（２ａ）（２ｂ）には、例えばイソシアネートなどのプライマー（下塗り剤）（２０）を塗布しておく。
【００７２】
弾性止水層（１９）が両起立フェイスプレート（Ｐａ）（Ｐｂ）の接着壁面（２ａ）（２ｂ）だけでなく、上記離型シート（１６）を介して連立フィンガープレート（Ｆａ−１）（Ｆｂ−１）（Ｆａ−２）（Ｆｂ−２）の前プレート片（７ａ）（７ｂ）とも接着された固定状態にあると、その前プレート片（７ａ）（７ｂ）の相反する前後方向（橋軸方向）への移動（伸縮）が、弾性止水層（１９）へ直かに波及・伝播して、その弾性止水層（１９）の破損を招来するため、上記離型シート（１６）の下面を離型面として離型処理したわけであるが、その離型シート（１６）の上面も上記前プレート片（７ａ）（７ｂ）と接着固定しないように離型処理しておくことが望ましい。
【００７３】
更に、（２１）は上記弾性止水層（１９）の下方を覆う２次止水用弾性シートであって、引裂強さに富むナイロンなどの織布入りゴムシートから成り、その側面視のほぼＵ字形に吊り下がる前後両端部が両起立フェイスプレート（Ｐａ）（Ｐｂ）の下端部へ、図１、３のような向かい合う前後一対のＬ字形アングルプレート（２２ａ）（２２ｂ）によって押え付けられている。その両アングルプレート（２２ａ）（２２ｂ）の水平片は、上記弾性止水層（１９）の前後両端部を下方から受け持つ状態に並列している。
【００７４】
（２３）はその弾性シート（２１）の内部に載置セットされた保形樋であって、図５〜７のような合成樹脂（ポリエチレン）製メッシュパイプ（好ましくは商品名「ネトロンパイプ」）の半割り体から成り、これによって弾性シート（２１）の不正変形を防ぎ、安定なほぼＵ字形に保っている。
【００７５】
（２４ａ）（２４ｂ）は上記アングルプレート（２２ａ）（２２ｂ）の垂直片を起立フェイスプレート（Ｐａ）（Ｐｂ）の下端部へ各々取り付け固定する前後一対づつの水平なリベットであって、外方（前後方向）から一定の左右相互間隔を保つ点在分布状態に打ち込まれている。その単純な打ち込みだけで足りるため、ボルトとナットとから成るネジ締結具に比して、その製造工場での取付作業性を著しく向上させることができる。
【００７６】
上記２次止水用弾性シート（２１）は起立フェイスプレート（Ｐａ）（Ｐｂ）と同じく、道路橋の遊間（継ぎ目）（Ｓ）に沿って延在するが、その道路橋の横断勾配に準じて低くなる最低の端部出口は、図４や図８〜１１のような蛇腹ゴム製止水壁（２５）の接着によって閉鎖されていると共に、その付近の下面には排水孔（２６）が開口形成されている。
【００７７】
（２７）はその排水孔（２６）への差し込み状態に接着一体化されたゴム製接手管であり、これがフレキシブルな排水パイプ又は排水チューブ（２８）を介して、道路橋の路肩部に配管済みの排水ドレン管（図示省略）と連通接続されることになる。
【００７８】
尚、上記アングルプレート（２２ａ）（２２ｂ）における水平片の下面へ、別個な不陸の吸収に役立つウレタンフォームから成るベースプレート（２９ａ）（２９ｂ）の前後一対を各々接着しておき、その両ベースプレート（２９ａ）（２９ｂ）を後打ちコンクリート（Ｃ）の打設型枠として、コンクリート床版（１）の箱抜き凹所（Ｇ）へ図２４、２５のように据え付け使用することが望ましい。
【００７９】
図１２〜２３は上記伸縮装置の製造工程を示しており、その製造に当っては先ず各起立フェイスプレート（Ｐａ）（Ｐｂ）と必要な個数の連立フィンガープレート（Ｆａ−１）（Ｆｂ−１）（Ｆａ−２）（Ｆｂ−２）とを図１３〜１６のように組み付け一体化し、その組み付けユニット体の前後一対を図１７、１８のように、上記連立フィンガープレート（Ｆａ−１）（Ｆｂ−１）（Ｆａ−２）（Ｆｂ−２）における前プレート片（７ａ）（７ｂ）同士の一定量（Ｘ）だけ噛み合うオーバーラップ状態に保つべく、その左右両端部同士を一対の連結プレート（３０）によって仮り止め固定しておく。
【００８０】
そして、両起立フェイスプレート（Ｐａ）（Ｐｂ）と多数の連立フィンガープレート（Ｆａ−１）（Ｆｂ−１）（Ｆａ−２）（Ｆｂ−２）とが組み付け一体化されたユニット体の全体を、図１９のように上下反転させた倒立状態（裏返し状態）として、その両起立フェイスプレート（Ｐａ）（Ｐｂ）から一定の背丈分（ｈ）だけ上向きに張り出すこととなる接着壁面（２ａ）（２ｂ）へ、プライマー（２０）を塗布することにより、予じめ下地処理（前処理）しておく。
【００８１】
次いで、両起立フェイスプレート（Ｐａ）（Ｐｂ）の向かい合う前後相互間（継手遊間）において、交互の噛み合う状態にある前プレート片（７ａ）（７ｂ）の全体へ、図２０のように上方から離型シート（１６）をその離型処理された下面が上向く状態に敷設すると共に、同じく上方から引き続き常温加硫型の液状ゴムなどから成る１次止水用シール材を充填して、その硬化した弾性止水層（１９）を形成する。その弾性止水層（１９）の前後両端部は上記プライマー（２０）を介して、両起立フェイスプレート（Ｐａ）（Ｐｂ）の接着壁面（２ａ）（２ｂ）へ強固に加硫接着される結果となる。
【００８２】
その後、上記弾性止水層（１９）を同じく上方から２次止水用弾性シート（２１）によって覆う如く、その弾性シート（２１）の前後両端部を両起立フェイスプレート（Ｐａ）（Ｐｂ）へ図２１のように被着させ、これを別個な前後一対のアングルプレート（２２ａ）（２２ｂ）により外方から押え付け固定すべく、そのアングルプレート（２２ａ）（２２ｂ）の垂直片から起立フェイスプレート（Ｐａ）（Ｐｂ）へ、点在分布する複数づつのリベット（２４ａ）（２４ｂ）をほぼ水平に打ち込む。
【００８３】
次いで、図２１から図２２のように、その弾性シート（２１）が吊り下がることとなる正立状態（表返し状態）に復元して、両起立フェイスプレート（Ｐａ）（Ｐｂ）の向かい合う前後相互間（継手遊間）へ上方から発泡材料を充填し、その発泡・膨張作用後の硬化により、伸縮可能な発泡材層（１７）を形成する。
【００８４】
その吊り下がることになった弾性シート（２１）の内部へ、保形樋（２３）を載置セットして、その弾性シート（２１）を安定なほぼＵ字形に保形すれば良い。
【００８５】
しかも、上記発泡材層（１７）が硬化するまでの間に、同じく上方から図２３のように耐火材を散布して、その耐火材を発泡材層（１７）の硬化により、その発泡材層（１７）の表面（上面）へ被覆状態に固着一体化した耐火材層（１８）を形成する。
【００８６】
そして、最後に上記仮り止め状態（仮りの組立状態）に保っていた連結プレート（３０）の左右一対を取り除けば、図１〜４のような製品−伸縮装置として完成するため、これを施工現場へ搬送し、その現場の橋幅分（片車線の全体分）だけ延在する埋設状態に施工すれば良い。
【００８７】
図２４、２５は上記伸縮装置の施工状態を示しており、その起立フェイスプレート（Ｐａ）（Ｐｂ）から背後方向へ張り出す連立フィンガープレート（Ｆａ−１）（Ｆｂ−１）（Ｆａ−２）（Ｆｂ−２）の後プレート片（９ａ）（９ｂ）（１０ａ）（１０ｂ）が埋込みアンカーとして、コンクリート床版（１）の箱抜き凹所（Ｇ）へ後打ちコンクリート（Ｃ）により埋設一体化されているが、上記第１連立フィンガープレート（Ｆａ−１）（Ｆｂ−１）と第２連立フィンガープレート（Ｆａ−２）（Ｆｂ−２）とは起立フェイスプレート（Ｐａ）（Ｐｂ）に対して、相反する上下方向から交互に差し込み固定された咬み合い状態にあるため、伸縮装置の製造上並びに使用上、歪み変形するおそれがなく、安定・強固な組立状態を維持することができる。
【００８８】
しかも、上記第１連立フィンガープレート（Ｆａ−１）（Ｆｂ−１）の後プレート片（９ａ）（９ｂ）と第２連立フィンガープレート（Ｆａ−２）（Ｆｂ−２）の後プレート片（１０ａ）（１０ｂ）とは、その背丈（ｈ１）（ｈ２）の相違する埋込みアンカーとして造形されているため、後打ちコンクリート（Ｃ）の廻り込み流動性が良く、引き抜き力に対する大きな抵抗力や耐荷強度を得られるのである。
【００８９】
又、道路橋における遊間（継ぎ目）（Ｓ）の伸縮に応じて、連立フィンガープレート（Ｆａ−１）（Ｆｂ−１）（Ｆａ−２）（Ｆｂ−２）の前プレート片（７ａ）（７ｂ）同士が相反する前後方向（橋軸方向）へ移動するも、その前プレート片（７ａ）（７ｂ）同士の噛み合う空間（継手遊間）に充填された発泡材層（１７）は、その交互の噛み合う状態にある前プレート片（７ａ）（７ｂ）と界面接着されていないため、破壊されるおそれなく追従変形し、伸縮量の大小に拘らず本来の機能を発揮し得る汎用性がある。
【００９０】
その発泡材層（１７）の表面（上面）は耐火材層（１８）によって被覆されているため、通行車両から点火状態のシガレットなどが投入・堆積するも、これによって上記発泡材層（１７）の燃える危険性がなく、安全性に優れる。
【００９１】
更に、上記発泡材層（１７）と弾性止水層（１９）との上下相互間には離型シート（１６）が介在しており、その離型シート（１６）の少なくとも下面は離型面として、これと接する弾性止水層（１９）が上記前プレート片（７ａ）（７ｂ）の相反する前後方向に沿う伸縮（移動）の影響を直かに受けず、しかもその弾性止水層（１９）の前後両端部は上記起立フェイスプレート（Ｐａ）（Ｐｂ）の下端部をなすプライマー処理された接着壁面（２ａ）（２ｂ）と、安定良く界面接着された状態にあるため、その弾性止水層（１９）の破壊されないことは勿論、その止水性能の低下するおそれすらなく、これを下方から覆う２次止水用の弾性シート（２１）とも相俟って、長期に亘る優れた止水効果を維持できるのである。
【００９２】
経年使用によって、万一弾性止水層（１９）から漏水が落下したとしても、その漏水を上記２次止水用の弾性シート（２１）によって路肩部へ誘導し、その路肩部の排水ドレン管（図示省略）から排出させることができる。つまり、排水性の伸縮装置として機能する結果、その上記発泡材層（１７）や弾性止水層（１９）、弾性シート（２１）の内部に雨水が溜まって、その重みによりこれらの脱落するおそれもない。
【００９３】
尚、先には両起立フェイスプレート（Ｐａ）（Ｐｂ）と多数の連立フィンガープレート（Ｆａ−１）（Ｆｂ−１）（Ｆａ−２）（Ｆｂ−２）とが約９０度の一定角度（θ）だけ交叉する貫通状態に組み付け一体化された直橋用の伸縮装置を説示したが、その図１と対応する図２６の変形実施形態に示す如く、９０度以外の一定角度（θ）（例えば約６０度）に組み付け一体化した所謂斜橋用の伸縮装置としても、本発明を適用実施することができる。その他の構成と製造法並びに施工法は図１〜２５の上記実施形態と実質的に同一であるため、その図２６に図１と同じ符号を記入するにとどめて、その変形実施形態の詳細な説明を省略する。
【符号の説明】
【００９４】
（１）・コンクリート床版（橋桁）
（２ａ）（２ｂ）・接着壁面
（３ａ）（３ｂ）・第１連立フィンガープレート受け入れ凹欠
（４ａ）（４ｂ）・第２連立フィンガープレート受け入れ凹欠
（５ａ）（５ｂ）（６ａ）（６ｂ）・差し込み凹溝
（７ａ）（７ｂ）・前プレート片
（８ａ）（８ｂ）・前上がり傾斜逃し面
（９ａ）（９ｂ）（１０ａ）（１０ｂ）・後プレート片
（１１ａ）（１１ｂ）・組立鉄筋
（１２ａ）（１２ｂ）・倒立ヘ字形切欠き
（１３ａ）（１３ｂ）・組立鉄筋受け入れ口
（１４ａ）（１４ｂ）・切欠き
（１５ａ）（１５ｂ）・埋設鉄筋
（１６）・離型シート
（１７）・発泡材層
（１８）・耐火材層
（１９）・弾性止水層
（２０）・プライマー
（２１）・２次止水用弾性シート
（２２ａ）（２２ｂ）・アングルプレート
（２３）・保形樋
（２４ａ）（２４ｂ）・リベット
（２５）・止水壁
（２６）・排水孔
（２７）・接手管
（２８）・排水チューブ又は排水パイプ
（２９ａ）（２９ｂ）・ベースプレート
（３０）・連結プレート
（Ｇ）・箱抜き凹所
（Ｓ）・  遊間（継ぎ目）
（Ｆａ）（Ｆｂ）・連立フィンガープレート
（Ｆａ−１）（Ｆｂ−１）・第１連立フィンガープレート
（Ｆａ−２）（Ｆｂ−２）・第２連立フィンガープレート
（Ｐａ）（Ｐｂ）・起立フェイスプレート
（ｄ）・切り欠き深さ
（ｈ）（ｈ１）（ｈ２）・背丈
（ｗ）・左右相互間隔
【図１】
2015078505.tif 000003
【図２】
2015078505.tif 000004
【図３】
2015078505.tif 000005
【図４】
2015078505.tif 000006
【図５】
2015078505.tif 000007
【図６】
2015078505.tif 000008
【図７】
2015078505.tif 000009
【図８】
2015078505.tif 000010
【図９】
2015078505.tif 000011
【図１０】
2015078505.tif 000012
【図１１】
2015078505.tif 000013
【図１２】
2015078505.tif 000014
【図１３】
2015078505.tif 000015
【図１４】
2015078505.tif 000016
【図１５】
2015078505.tif 000017
【図１６】
2015078505.tif 000018
【図１７】
2015078505.tif 000019
【図１８】
2015078505.tif 000020
【図１９】
2015078505.tif 000021
【図２０】
2015078505.tif 000022
【図２１】
2015078505.tif 000023
【図２２】
2015078505.tif 000024
【図２３】
2015078505.tif 000025
【図２４】
2015078505.tif 000026
【図２５】
2015078505.tif 000027
【図２６】
2015078505.tif 000028